(57)【要約】【課題】回転させるだけで香炉やリン、ロウソク台の収納庫の扉を開閉でき、香炉を設置した場合には線香の燃焼状態を前方から確認でき、扉を閉じると燃焼中の線香や灰などが風で外部に飛散せず安全性に優れた墓前用仏具収納庫を提供するものである。【解決手段】底面板５と上面板６、および左右の側壁７、７とで、前面を開口した箱形に形成された収納庫本体８の、前記底面板５の中間に軸１２を突設し、回転平板部９の片側上部に回転扉１０を突設して断面Ｌ形に形成した回転体１１の前記回転平板部９を、前記底面板５に突設した軸１２に水平方向に回転自在に支持して、回転体１１の回転扉１０が収納庫本体８の前面開口部を閉じるように形成して、回転体１１を回転させて回転扉１０を開閉すると共に、回転平板部９に載置した香炉２が出没するようにしたものである。【選択図】図１
2005139810.tif 000002
【特許請求の範囲】
【請求項１】
底面板と上面板、および左右の側壁とで、前面を開口した箱形に形成された収納庫本体の、前記底面板の中間に軸を突設し、回転平板部の片側上部に回転扉を突設して断面Ｌ形に形成した回転体の前記回転平板部を、前記底面板に突設した軸に水平方向に回転自在に支持して、回転体の回転扉が収納庫本体の前面開口部を閉じるように形成して、回転体を回転させて回転扉を開閉すると共に、回転平板部に載置した仏具が出没するようにしたことを特徴とする墓前用仏具収納庫。
【請求項２】
回転体の回転平板部と回転扉の縁部が、平面円弧状に形成されていることを特徴とする請求項１記載の墓前用仏具収納庫。
【発明の詳細な説明】
【技術分野】
【０００１】
本発明は、香炉やリン、ロウソク台などを収納する墓前用仏具収納庫に関するものである。
【背景技術】
【０００２】
一般に、墓石の手前には香炉が設置されているが、多くは石材を繰り抜いて前後が開口した構造のものが使用されている。しかしながら、従来の香炉は前後が開口しているため、燃焼中の線香が風などで飛散して火災の原因となったり、灰が飛散して周囲を汚すなどの問題があった。
【０００３】
このため、石材の中を上部からくり抜いて石材容器の側面下方に灰皿引き出し口を設け、上方には通風口を設け、石材容器の上部開口部に石材製の蓋を着脱自在に取付けるようにした墓前用安全香炉が提案されている（例えば特許文献１）。しかしながら、この香炉は線香をあげる度に重い石材製の蓋を取外し、帰る時には蓋を嵌める必要があり、煩雑であると共に、蓋が取外されて紛失する恐れもある。またこの香炉は上部だけが開口しているので、高い位置に設置されていると燃焼中の線香の煙しか見えず、燃焼状態を確認しにくい問題があった。
【特許文献１】特開平１０−０９６３３９号公報
【発明の開示】
【発明が解決しようとする課題】
【０００４】
本発明は上記問題を改善し、回転させるだけで収納庫の扉を開閉でき、香炉を設置した場合には線香の燃焼状態を前方から確認でき、扉を閉じると燃焼中の線香や灰などが風で外部に飛散せず安全性に優れ、また香炉に限らずリンやロウソク台などの仏具を収納するのに好適な墓前用仏具収納庫を提供するものである。
【課題を解決するための手段】
【０００５】
本発明の請求項１記載の墓前用仏具収納庫は、底面板と上面板、および左右の側壁とで、前面を開口した箱形に形成された収納庫本体の、前記底面板の中間に軸を突設し、回転平板部の片側上部に回転扉を突設して断面Ｌ形に形成した回転体の前記回転平板部を、前記底面板に突設した軸に水平方向に回転自在に支持して、回転体の回転扉が収納庫本体の前面開口部を閉じるように形成して、回転体を回転させて回転扉を開閉すると共に、回転平板部に載置した仏具が出没するようにしたことを特徴とするものである。
【０００６】
また請求項２記載の墓前用仏具収納庫によれば、回転体の回転平板部と回転扉の縁部が、平面円弧状に形成されていることを特徴とするものである。
【発明の効果】
【０００７】
本発明の請求項１記載の墓前用仏具収納庫によれば、収納庫の回転体を回転させるだけで回転扉を容易に開閉することができ、また回転体に灰皿を載せて香炉としたものは、手前側に引出されるので線香を載せるのが容易で、しかもその燃焼状態を確認することができる。また帰る時には香炉の回転扉が閉じることにより、燃焼中の線香や灰などが風で外部に飛散せず火災を防止できると共に、周囲を汚すことがない。
【０００８】
本発明の請求項２記載の墓前用仏具収納庫によれば、回転体の回転平板部と回転扉の縁部が平面円弧状に形成されているので、収納庫本体内の狭い面積で回転して収納と引出しを行なうことができ、収納庫の小型化を図ることができる。
【発明を実施するための最良の形態】
【０００９】
香炉となる下段の仏具収納庫と、リンやロウソク台を収納する上段の仏具収納庫を２段重ね構造とした墓前用仏具収納庫を実現した。
【実施例１】
【００１０】
以下本発明の実施例を図１ないし図９を参照して詳細に説明する。図１は石材で形成された下段の仏具収納庫１を香炉２とし、石材で形成された上段の仏具収納庫３をリンとロウソク台を収納する収納庫とした２段構造のものである。前記香炉２となる下段の仏具収納庫１は、図３に示すように底面板５と上面板６、およびブロック状の左右の側壁７、７とで、前面と背面を開口した箱形の収納庫本体８を形成し、この内側に、回転平板部９と回転扉１０とからなる回転体１１を水平方向に回転自在に軸１２で支持したものである。
【００１１】
前記底面板５は、図４に示すように長方形の前面が円弧状に突出した石板で形成され、この両側にブロック状の側壁７、７が取付けられている。この側壁７は回転体１１側の側面が内側に向かって湾曲し、上面に煙抜き孔１４が横方向に形成されている。
【００１２】
また回転体１１は、前方と後方の縁部が平面円弧状に形成された回転平板部９の片側上部に回転扉１０を突設して、図２に示すように断面Ｌ形に形成されている。この回転平板部９と、底面板５とは軸１２で連結されて、回転体１１が水平方向に回転自在に支持されている。更にこの左右の側壁７、７の上部には図３に示すように、上面板６が取付けられている。
【００１３】
従って図３および図４に示すように、回転扉１０が後方に位置して収納庫本体８の前面が開口して回転平板部９が手前側に位置している状態から、回転体１１を手で回転させると、図２および図５に示すように、回転扉１０が手前側に来て、左右の側壁７、７の間の前面開口部を塞ぐようになる。
【００１４】
またこの下段の仏具収納庫１の上に重ねて形成される上段の仏具収納庫３は、図６に示すように、下段の仏具収納庫１の上面板６を底面板１６とし、この中央部に平面コ字形の枠体１７を取付け、更にこの両側に平面Ｌ字形の枠体１８、１８が取付けられ、この上部に天水受を兼ねる上面板２４を取付けて、前面が開口した収納庫本体１５が形成されている。
【００１５】
枠体１７の内側には回転体２２が設けられ、この回転体２２は円形の回転平板部２０の縁部の一方に、半割円筒状の回転扉２１が突設され、図２に示すように断面Ｌ形に形成されている。更にこの回転体２２の回転平板部２０と、底面板１６は軸１２で水平方向に回転自在に支持されている。また平面コ字形の枠体１７の両側に配置された平面Ｌ字形の枠体１８、１８の側壁部１８Ａ、１８Ｂの先端には、扉１９が軸２３で開閉自在に取付けられている。
【００１６】
従って図１および図６に示すように、回転扉２１が後方に位置して平面コ字形の枠体１７の前面が開口して回転平板部２０が手前側に位置している状態から、回転体２２を手で回転させると、図２および図７に示すように、回転扉２１が手前側に来て、平面コ字形の枠体１７の前面開口部を塞ぐようになる。
【００１７】
この２段重ねの仏具収納庫１、３は、図８に示すように墓石２６の前に設置しこの両側に花立２７、２７を設置する。香炉２となる下段の仏具収納庫１の回転平板部９には灰皿２８を取付ける。また上段の仏具収納庫３の左右の扉１９、１９を開いて内側にロウソク台３０を取付ける。また中央部の回転体２２の回転平板部２０にはリン２９を取付ける。
【００１８】
通常は、図９に示すように上下の回転扉１０、２１が手前側に位置して閉じ、また上段の仏具収納庫３の左右の扉１９、１９も閉じている。墓参した時には、上下の回転扉１０、２１を回転させて灰皿２８とリン２９を手前側に位置させ、扉１９を開いてロウソク台３０を露出させる。この後、ロウソク台３０にロウソクを灯し、線香に火を付けて灰皿２８に載せてから、リン２９を鳴らして合掌する。帰る時には、上下の回転扉１０、２１を回転させて閉じると共に、扉１９、１９を閉じる。
【００１９】
従って、香炉２やリン２９は、回転扉１０、２１を回転させるだけで容易に開閉することができ、また灰皿２８が手前側に引出されるので線香を載せるのが容易で、しかもその燃焼状態を前方から確認することができる。また帰る時には香炉２の回転扉１０を閉じるので、燃焼中の線香や灰などが風で外部に飛散せず、火災を防止できると共に、周囲を汚すことがことがない。
【００２０】
また回転体１１、２２の回転平板部９、２０と回転扉１０、２１の縁部が平面円弧状に形成されているので、収納庫本体８、１５内の狭い面積で回転して、収納と引出しを行なうことができ、収納庫の小型化を図ることができる。
【産業上の利用可能性】
【００２１】
なお上記実施例では、下段の香炉２となる仏具収納庫１と、上段のリン２９やロウソク台３０を収納する仏具収納庫３を重ねた２段構造について示したが、上下が逆の積重ね構造でも良く、また何れか一方だけを単独で設置しても良い。
【図面の簡単な説明】
【００２２】
【図１】本発明の実施例による墓前用仏具収納庫の扉を開いた状態を示す斜視図である。
【図２】図１の墓前用仏具収納庫の扉を閉じた状態を示す縦断側面図である。
【図３】香炉として使用する下段の仏具収納庫を示す斜視図である。
【図４】図３の回転扉を開いた状態で、上面板を取外した下段の仏具収納庫を示す平面図である。
【図５】図４の回転扉を閉じた状態で、上面板を取外した下段の仏具収納庫を示す平面図である。
【図６】図１の回転扉を開いた状態で、上面板を取外した上段の仏具収納庫を示す平面図である。
【図７】図６の回転扉を閉じた状態で、上面板を取外した上段の仏具収納庫を示す平面図である。
【図８】墓石の前に墓前用仏具収納庫を設置して扉を開いた状態を示す斜視図である。
【図９】図８の扉を閉じた状態を示す斜視図である。
【符号の説明】
【００２３】
１      下段の仏具収納庫                                    
２      香炉                                                
３      上段の仏具収納庫                                    
５      底面板                                              
６      上面板                                              
７      左右の側壁                                          
８      収納庫本体                                          
９      回転平板部                                          
１０    回転扉                                              
１１    回転体                                              
１２    軸                                                  
１５    収納庫本体                                          
１６    底面板                                              
１７    枠体                                                
１７Ａ  側壁部                                              
１８    平面Ｌ字形の枠体                                    
１８Ａ  側壁部                                              
１９    扉                                                  
２０    回転平板部                                          
２１    回転扉                                              
２２    回転体          
２３    軸          
２４    上面板      
２６    墓石          
２８    灰皿          
２９    リン      
３０    ロウソク台      
【図１】
2005139810.tif 000003
【図２】
2005139810.tif 000004
【図３】
2005139810.tif 000005
【図４】
2005139810.tif 000006
【図５】
2005139810.tif 000007
【図６】
2005139810.tif 000008
【図７】
2005139810.tif 000009
【図８】
2005139810.tif 000010
【図９】
2005139810.tif 000011